(57)【要約】【課題】  印刷装置と接続され、通信可能な撮像装置において、印刷装置が画像を印刷する際に、撮像装置のバッテリーの電力消耗を抑制し、該バッテリーを長持ちさせる撮像装置を提供する。【解決手段】  撮像した画像を画像ファイルとして記録する記録手段と、通信機能を有した外部の印刷装置との間で通信を行うことにより、記録手段の画像ファイルを印刷装置に送信する通信手段と、画像ファイルの印刷を行うために印刷装置に対して画像ファイルの送信を開始して送信が終了した後、印刷装置からの印刷終了信号が入力されるまでの間、撮像装置を省電力モードに切り換え制御する制御手段とを備えることにより、バッテリーを長持ちさせる。【選択図】  図２
2006262007.tif 000002
【特許請求の範囲】
【請求項１】
撮像した画像を画像ファイルとして記録する記録手段と、
通信機能を有した外部の印刷装置との間で通信を行うことにより、前記記録手段に記録された画像ファイルを前記印刷装置に送信する通信手段と、
前記画像ファイルの印刷を行うために前記印刷装置に対して前記画像ファイルの送信を開始して送信が終了した後、前記印刷装置からの印刷終了信号が入力されるまでの間、省電力モードに切り換え制御する制御手段とを有することを特徴とする撮像装置。
【請求項２】
前記省電力モードへの切り換えの有効・無効の選択を行う選択手段をさらに有することを特徴とする請求項１記載の撮像装置。
【請求項３】
バッテリーの残容量を監視する監視手段をさらに有し、前記制御手段は前記監視手段の監視によるバッテリーの残容量が所定値以下となったとき、前記省電力モードへの切り換えを行うことを特徴とする請求項１記載の撮像装置。
【発明の詳細な説明】
【技術分野】
【０００１】
本発明は、撮像装置に関し、特に、外部の印刷装置に接続されることにより印刷装置による画像ファイルの印刷を行うことが可能となる撮像装置に関する。
【背景技術】
【０００２】
デジタルスチルカメラ等のカメラにおいては、光学系からの画像を画像ファイルとしてメモリカード等に記録している。また、デジタルスチルカメラでは、外部の印刷装置と通信接続可能となっており、画像ファイルをデジタルスチルカメラから印刷装置に送信することにより印刷装置による画像の印刷を行うことができる。特許文献１には、このような印刷を可能としたカメラシステムが提案されている。
【０００３】
特許文献１記載のカメラシステムは、被写体像を画像信号（画像ファイル）に変換する撮像手段を備えたカメラと、カメラから出力される画像ファイルが入力され、入力された画像ファイルに関する画像を印刷するプリンタとを備えている。そして、カメラ及びプリンタを接続した状態で、カメラから画像ファイルをプリンタに出力することによりプリンタが画像を印刷するようになっている。
【特許文献１】特開平８−３２９１１号公報
【発明の開示】
【発明が解決しようとする課題】
【０００４】
上記カメラシステムにおいて、画像ファイルがカメラからプリンタに出力された後、プリンタが画像の印刷を終了するまでの間、カメラは通常の電力消費モードとなっている。このため、バッテリーが無駄に消耗して短期間で使えなくなるという問題を有している。
【０００５】
本発明は、このような問題点を考慮してなされたものであり、プリンタが画像を印刷する際のバッテリーの電力消耗を抑制することによりバッテリーを長持ちさせることが可能な撮像装置を提供することを目的とする。
【課題を解決するための手段】
【０００６】
請求項１記載の発明は、撮像した画像を画像ファイルとして記録する記録手段と、通信機能を有した外部の印刷装置との間で通信を行うことにより、前記記録手段に記録された画像ファイルを前記印刷装置に送信する通信手段と、前記画像ファイルの印刷を行うために前記印刷装置に対して前記画像ファイルの送信を開始して送信が終了した後、前記印刷装置からの印刷終了信号が入力されるまでの間、省電力モードに切り換え制御する制御手段とを有することを特徴とする撮像装置である。
【０００７】
請求項２記載の発明は、請求項１記載の撮像装置において、前記省電力モードへの切り換えの有効・無効の選択を行う選択手段をさらに有することを特徴とする。
【０００８】
請求項３記載の発明は、請求項１記載の撮像装置において、バッテリーの残容量を監視する監視手段をさらに有し、前記制御手段は前記監視手段の監視によるバッテリーの残容量が所定値以下となったとき、前記省電力モードへの切り換えを行うことを特徴とする。
【発明の効果】
【０００９】
本発明によれば、印刷装置に対して画像ファイルの送信を開始し送信を終了した後、印刷装置からの印刷終了信号が入力されるまでの間、撮像装置を省電力モードに切り換えるように制御するため、画像ファイルの印刷時におけるバッテリーの電力消耗を抑制することができる。これによりバッテリーを長持ちさせることができる。
【発明を実施するための最良の形態】
【００１０】
図１から図７は、本発明をカラー撮像装置に適用した一実施形態を示す。カラー撮像装置としては、デジタルスチルカメラ２５が使用される。図１は、このデジタルスチルカメラ２５の構造を示し、カメラ全体を統括的に制御するマイクロコンピュータ（以下、マイコンという）１を備えている。マイコン１には、画像の入力手段と、画像処理手段と、メモリカードとしてのデータ記憶メモリ２と、カメラ操作部３とが接続される。
【００１１】
画像の入力手段は、レンズユニット１０と、レンズユニット１０からの光が結像することにより画像を取り込むＣＣＤ（ｃｈａｒｇｅ  ｃｏｕｐｌｅｄ  ｄｅｖｉｃｅ：電荷結合素子）１１と、ＣＣＤ１１を駆動するタイミングＳＧ（制御信号発生器）１２と、ＣＣＤ出力電気信号（アナログ画像データ）がＣＤＳ回路１４を介して入力されることによりアナログ画像データをデジタルデータに変換するＡ／Ｄ変換器１３とを有している。また、マイコン１はレンズユニット１０のモータを駆動するモータドライバ１５を制御すると共に、ストロボ１６を制御する。
【００１２】
なお、ＣＣＤ１１としては、例えば、インターレース方式でメカシャッターを併用することにより全画素読み出しが可能なタイプを用いることができ、総画素数３２６万画素（水平２０８０画素、垂直１５６８画素）、有効画素数は３１４万画素（水平２０４８画素、垂直１５３６画素）のものを採用することができる。
【００１３】
図１におけるフレームメモリ１７は画像ファイルを記録する記録手段として機能するものであり、画像処理手段としてのデジタル信号処理回路１８で信号処理された撮像データを格納する。このフレームメモリ１７は、少なくとも撮像画素の１画面以上の画像データを蓄積することが可能な画像メモリであり、例えば、ＶＲＡＭ、ＳＲＡＭ、ＤＲＡＭ、あるいはＳＤＲＡＭ（シンクロナスＤＲＡＭ）などの一般に用いられているメモリを用いることができる。
【００１４】
デジタル信号処理回路１８には、画像圧縮伸張回路１９が接続されている。画像圧縮伸張回路１９は、ＪＰＥＧ（Ｊｏｉｎｔ  Ｐｈｏｔｏｇｒａｐｈｉｃ  Ｅｘｐｅｒｔｓ  Ｇｒｏｕｐ）方式により画像圧縮の符号化を行う。この符号化アルゴリズムにはＡＤＣＴ（適応離散コサイン）を用い、最初に解像度の低い画像を符号化し、次第に解像度が高くなるような階層符号化も取り入れられる。
【００１５】
上述したカメラ操作部３は、撮像装置の動作指示を行うためのものであり、撮影を指示するレリーズキー及びその他の各種設定を外部から行うためのボタンなどを備えている。また、メモリカードとしてのデータ記憶メモリ２は、バッファメモリに格納されたデータを圧縮し、その圧縮データを格納（蓄積）しておく記録手段である。メモリカードとしては、例えば８ＭＢ程度の内部メモリあるいはスマートメディア・コンパクトフラッシュ（登録商標）・ＳＤカードなどを使用することができる。
【００１６】
図１において、２１はパラメータ格納部としてのＥＥＰＲＯＭであり、マイコン１に接続されている。デジタル信号処理回路１８は、マイコン１の指示に基づいてパラメータ格納部（ＥＥＰＲＯＭ）２１に格納されている画像処理パラメータに従った画像処理を実行する。２０は液晶ディスプレイからなる表示装置である。この表示装置２０は、画像処理手段（デジタル信号処理回路１８）で所定の画像処理がなされた撮像データを表示するものである。
【００１７】
この実施形態において、デジタルスチルカメラ２３からなる撮像装置は外部の印刷装置４１に接続されて相互の通信が行われる（図３参照）。このため、外部の印刷装置４１は、通信機能を備えたものとなっている。また、通信を行うため、撮像装置２３は記録手段（図１のフレームメモリ１７）の画像ファイルを印刷装置に送信する通信手段（図示しない）を備えている。
【００１８】
図２は、マイコン１の内部構成を示すブロック図である。制御プログラムに基づいて所定の制御（撮像、記録、再生など）を実行するＣＰＵ３１と、制御プログラムが格納されているＲＯＭ３２と、ワーキングメモリ（作業領域）として使用されるＲＡＭ３３とを少なくとも備えている。ＣＰＵ３１は画像ファイルの印刷を行うために印刷装置４１に対して画像ファイルの送信を開始した後、印刷装置４１からの印刷終了信号が入力されるまでの間、カメラ全体を省電力モードに切り換え制御する制御手段となっている。また、この実施形態では、選択手段３５及び監視手段３４を備え、これらがＣＰＵ３１に接続されている。
【００１９】
選択手段３５は省電力モードへの切り換えの有効・無効の選択を行うものである。監視手段３４はバッテリー３６の残容量を監視するものである。制御手段としてのＣＰＵ３１はこの監視手段３４の監視によるバッテリー３６の残容量が所定値以下となったとき、上述した省電力モードへの切り換えを行う。
【００２０】
つぎに、以上のように構成されたデジタルスチルカメラ２３の動作について説明する。ＣＣＤ１１に入力された画像のデジタルデータは、フレームメモリ１７に一時保管される。画像処理手段（デジタル信号処理回路１８）は、マイコン１から指示された画像処理パラメータに基づいてフレームメモリ１７に一時保管されたデータを処理しフレームメモリ１７に出力する。この処理の中に顔認識処理が含まれる。表示装置２０はフレームメモリ１７に書き込まれたデータを画像として表示する。画像圧縮伸張回路１９は、バッファメモリに書き込まれたデータをＪＰＥＧ方式で符号化し、その圧縮結果をメモリカード２に蓄積する。
【００２１】
マイコン１のＣＰＵ３１は、ＲＯＭ３２に格納されている制御プログラムに従ってＲＡＭ３３を作業領域として使用しながらカメラ操作部３からの指示あるいはリモコン（図示しない）などの外部動作指示、さらにはパーソナルコンピュータなどの外部端末からの通信による通信動作指示に従い、デジタルスチルカメラ２３の全動作を制御する。具体的には、マイコン１は、撮像動作制御、画像処理手段における画像処理パラメータの設定、メモリコントロール、表示制御などを行う。
【００２２】
この実施形態において、撮像装置２３と画像の印刷を行う外部の印刷装置４１とが通信可能に接続される。図３はこの接続構造を示し、撮像装置２３と印刷装置４１とがＤＰＳ規格を介して接続される場合のシーケンスダイヤグラムを示す。図３では、標準的なＤＰＳ機器同士が両機器間の接続を行うものであり、以下のステップによって通信が行われる。
【００２３】
（第１ステップ）
最初にＤＰＳ  Ｄｉｓｃｏｖｅｒｙ２７は、互いの機器（撮像装置２３と印刷装置４１）がＤＰＳ機能を有する機器かどうかの確認を行う。互いにＤＰＳ機器であることを認識した後、両機器はＤＰＳアプリケーションに制御が移行する。ＤＰＳでは、ＵＳＢケーブル（図示しない）の接続をトリガとして両機器間での接続が確立した後に、このＤＰＳ  Ｄｉｓｃｏｖｅｒｙ２７が行われる。
【００２４】
（第２ステップ）
ＤＰＳアプリケーションが起動した後には、ＤＰＳ  ＣｏｎｆｉｇｕｒｅＰｒｉｎｔＳｅｒｖｉｃｅが行われる。このＤＰＳ  ＣｏｎｆｉｇｕｒｅＰｒｉｎｔＳｅｒｖｉｃｅでは、それぞれのＤＰＳ機器がどんなサービス機能を有するかの確認を行う。
【００２５】
ＤＰＳでは、通常、撮像装置に保持されている画像を印刷装置側に送信して印刷することを想定しているので、撮像装置２３は印刷Ｃｌｉｅｎｔとして印刷装置に対して印刷Ｓｅｒｖｅｒ機能を要求するとともに外部メモリＳｅｒｖｅｒ機能があることを通知する。印刷装置４１は印刷Ｓｅｒｖｅｒ機能が提供できることと、外部メモリＣｌｉｅｎｔとしてＤＳＣの外部メモリＳｅｒｖｅｒ機能を用いることを通知する。この確認により印刷Ｓｅｒｖｅｒ／Ｃｌｉｅｎｔ、外部メモリ  Ｓｅｒｖｅｒ／Ｃｌｉｅｎｔの接続が確立され、以後このＳｅｒｖｅｒ／Ｃｌｉｅｎｔモデルの間でＤＰＳ  Ｏｐｅｒａｔｉｏｎ、ＤＰＳ  Ｅｖｅｎｔの通信が行われる。
【００２６】
（第３ステップ）
次に撮像装置２３はＤＰＳ  ＧａｔＣａｐａｃｉｔｙにより、印刷装置４１に設定可能な能力を問い合わせる。これらの設定情報は撮像装置側のユーザーインターフェース情報に適宜反映することができ、ユーザーが撮像装置２３のユーザーインターフェースを使って必要に応じて選択する。ここで、撮像装置２３はＤＰＳ機器として実際のプリント制御を行えるようになる。
【００２７】
（第４ステップ）
次にユーザーの撮像装置２３側からの印刷開始操作によりＤＰＳ  ＳｔａｒｔＪｏｂが発行され、印刷装置４１に各種印刷設定情報とともに印刷開始を要求する。
【００２８】
（第５ステップ）
次に印刷装置４１は撮像装置２３にＤＰＳ  ＧａｔＦｉｌｅＩｎｆｏにより、印刷に必要な画像ファイルのサイズ等の情報を要求する。その情報に基づき、ＤＰＳ  ＧａｔＦｉｌｅで実際の画像データを要求し、画像データを読み込み、実際の印刷を行う。
【００２９】
（第６ステップ）
印刷装置４１は、所望の印刷を終了した後、その結果をＤＰＳ  ＮｏｔｉｆｙＤｅｖｉｃｅＳｔａｔｕｅを使って撮像装置２３に通知する。
【００３０】
以上の作動において、最初の印刷は上記（１）〜（６）のシーケンスを順次行い終了する。以降のプリントは、（４）〜（６）のシーケンスを繰り返すことによって実行することができる。
【００３１】
図２において、マイコン１内の選択手段３５は、省電力モードへの切り換えの有効・無効の選択を行う手段であり、ユーザによる操作が可能となっている。選択された切り換えデータはＣＰＵ３１に出力される。監視手段３４は、バッテリー３６の残容量を検出する。そして、検出された残容量がＣＰＵ３１に出力される。
【００３２】
図４はこの実施形態の制御のフローチャートを示す。マイコン１の制御により、撮像装置２３と印刷装置４１とが接続されて画像ファイルが印刷装置４１に送信される（ステップＳ１１）。画像ファイルの送信が終了したとき、印刷装置４１は画像ファイルの印刷を開始する。この画像ファイルの送信の終了と同時に印刷装置４１は画像の印刷を開始する。マイコン１は画像ファイルの送信が終了した時点から装置全体を省電力モードに切り換える（ステップＳ１２）。
【００３３】
印刷装置４１が印刷を終了すると、印刷装置４１は、印刷終了信号を撮像装置２３に出力する（ステップＳ１３）。この印刷終了通知は「ＤＰＳ  Ｎｏｔｉｆｙ  Ｄｅｖｉｃｅ  Ｓｔａｔｕｅ」である。印刷終了信号が入力されると、マイコン１は撮像装置２３の全体を通常モードに切り換える（ステップＳ１４）。かかる省電力モードにおいては、図５に示すように、表示装置２０としての液晶ディスプレイ２０ａの非表示を行う。これにより、バッテリーの省電力化を行うことができ、通常モードよりも長い時間、撮像装置２３を使用することが可能となる。
【００３４】
図６は、選択手段３５が駆動することにより液晶ディスプレイ２０ａに対して「省電力モードを設定しますか？」の表示を行うものである。この表示に対して「ＣＡＮＣＥＬ」、「ＯＫ」のいずれかを選択して、その表示部分を押圧操作することにより省電力モードへの切り換えの有効・無効の選択を行うことができる。この選択はＣＰＵ３１に出力され、ＣＰＵ３１は選択されたモードに装置全体を制御する。これにより、印刷中は省電力モードとすることにより、バッテリーを長持ちさせる使い方もできるし、印刷中に撮影した画像の確認、セットアップの変更、また撮影を行いたい場合は省電力モードを無効にして、それらの動作を行うことができる。このように省電力モードの有効・無効を選べることによりユーザの使い方の幅が広がる。
【００３５】
図７は、液晶ディスプレイ２０ａがバッテリー３６の残容量を表示する形態を示す。バッテリー３６の残容量は、液晶ディスプレイ２０ａにおける下段部分に表示され、ユーザーが視認することができる。図２の監視手段３４は、バッテリー３６の残容量を監視しており、一定容量よりも少ない場合（例えば、図７（ｂ）に表示する場合）には、マイコン１は撮像装置２３の全体を省電力モードに切り換える。これにより、バッテリー３６の残容量が少ない場合においても、バッテリー３６を長時間使用することができる。かかるバッテリー３６の残容量による省電力モードへの切り換えについては、その閾値をユーザが任意に設定することが可能である。
【図面の簡単な説明】
【００３６】
【図１】本発明の一実施形態に係るデジタルスチルカメラの内部システムを示すブロック図である。
【図２】本発明の一実施形態に係るデジタルスチルカメラに用いるマイコンの構成を示すブロック図である。
【図３】本発明の一実施形態に係る通信のシーケンスダイヤグラムを示す図である。
【図４】本発明の一実施形態に係る省電力モードへの切り換えを制御する際のフローチャートである。
【図５】本発明の一実施形態に係る表示装置としての液晶ディスプレイ配置を示す斜視図である。
【図６】本発明の一実施形態に係る液晶ディスプレイの表示を示す斜視図である。
【図７】本発明の一実施形態に係るバッテリーの残容量を表示する場合の斜視図である。
【符号の説明】
【００３７】
１    マイコン
２    データ記憶メモリ
３    カメラ操作部
１１    ＣＣＤ
１７    フレームメモリ
１８    デジタル信号処理回路
１９    画像圧縮伸張回路
２０    表示装置
２３    撮像装置（デジタルスチルカメラ）
３１    ＣＰＵ
３４    監視手段
３５    選択手段
３６    バッテリー
４１    印刷装置
【図１】
2006262007.tif 000003
【図２】
2006262007.tif 000004
【図３】
2006262007.tif 000005
【図４】
2006262007.tif 000006
【図５】
2006262007.tif 000007
【図６】
2006262007.tif 000008
【図７】
2006262007.tif 000009